(57)【要約】【課題】周辺駆動回路による画素部への影響を低減させつつ、表示不良の発生を防止することができる液晶表示パネル及びそれを備えた電子機器を提供する。【解決手段】複数の画素電極と周辺駆動回路とを同一面上に有するアクティブマトリクス基板１と、これらの画素電極及び周辺駆動回路に対向する対向電極５０を一方の面の略全面に設けた対向基板２とを備え、アクティブマトリクス基板１において、周辺駆動回路のうち少なくとも画像信号線１１に画像信号を供給する水平駆動回路２１と対向基板２との間に、所定電位に接続される導電体３０を介在させた。【選択図】図３
2010152016.tif 000002
【特許請求の範囲】
【請求項１】
走査線と、画像信号線と、前記走査線及び前記画像信号線との交差部にそれぞれ設けられた複数の画素部と、各前記画素部をマトリクス駆動する周辺駆動回路とを同一面上に有するアクティブマトリクス基板と、
前記複数の画素部と前記周辺駆動回路とに対向する対向電極を一方の面の略全面に設けた対向基板と、
アクティブマトリクス基板と対向基板との間に挟持された液晶層とを備え、
前記アクティブマトリクス基板において、前記周辺駆動回路のうち少なくとも前記画像信号線に画像信号を供給する水平駆動回路と前記対向基板との間に、所定電位に接続される導電体を介在させた液晶表示パネル。
【請求項２】
前記アクティブマトリクス基板には、前記所定電位に接続される前記導電体を含む所定電位印加領域を含み、前記所定電位印加領域における前記導電体と当該導電体以外の領域とに接続され、前記所定電位を外部から印加するための共通の入力端子を設けた請求項１に記載の液晶表示パネル。
【請求項３】
前記アクティブマトリクス基板には、前記所定電位に接続される前記導電体を含む所定電位印加領域を含み、前記所定電位印加領域のうち前記導電体に接続され、前記所定電位を外部から印加するための第１入力端子と、前記所定電位印加領域のうち前記導電体以外の領域に接続され、前記所定電位を外部から印加するための第２入力端子と、をそれぞれ電気的に独立して設けた請求項１に記載の液晶表示パネル。
【請求項４】
前記対向電極に印加される電圧を前記所定電位とした請求項１〜３のいずれか１項に記載の液晶表示パネル。
【請求項５】
前記導電体を前記アクティブマトリクス基板上面に設けた請求項１〜４のいずれか１項に記載の液晶表示パネル。
【請求項６】
液晶表示パネルと、この液晶表示パネルに映像を供給する映像信号供給回路とを備え、
前記液晶表示パネルは、
走査線と、画像信号線と、前記走査線及び前記画像信号線との交差部にそれぞれ設けられた複数の画素部と、各前記画素部をマトリクス駆動する周辺駆動回路とを同一面上に有するアクティブマトリクス基板と、
前記複数の画素部と前記周辺駆動回路とに対向する対向電極を一方の面の略全面に設けた対向基板と、
アクティブマトリクス基板と対向基板との間に挟持された液晶層とを備え、
前記アクティブマトリクス基板において、前記周辺駆動回路のうち少なくとも前記画像信号線に画像信号を供給する水平駆動回路と前記対向基板との間に、所定電位に接続される導電体を介在させた電子機器。
【発明の詳細な説明】
【技術分野】
【０００１】
本発明は、液晶表示パネル及びそれを備えた電子機器に関し、さらに詳細には、アクティブマトリクス型の液晶表示パネル及びそれを備えた電子機器に関する。
【背景技術】
【０００２】
液晶プロジェクタ、パーソナルコンピュータなどの電子機器に用いられる液晶表示パネルとして、応答速度や画像品質の面で優れ、近年のカラー化に最適なアクティブマトリクス型の液晶表示パネルが主力となっている。
【０００３】
ここで、従来のアクティブマトリクス型の液晶表示パネルの構成を図８を参照して説明する。従来のアクティブマトリクス型の液晶表示パネルは、図８（ａ）に示すアクティブマトリクス基板１０１と図８（ｂ）に示す対向基板１０２とがスペーサの混入されたシール材によって一定の間隔を保って貼り合わせられ、この一対の基板とシール材とにより形成された空間に液晶が封入された構造を有する。
【０００４】
図８（ａ）に示すように、アクティブマトリクス基板１０１上には複数の走査線１１０と複数の画像信号線１１１とが互いに交差して形成され、その交差部にＴＦＴ及び画素電極からなる画素部１１２がマトリクス状に形成されて表示領域が構成される。
【０００５】
この表示領域の周辺部には、各走査線１１０に対してパルス状の走査信号を順次供給する垂直駆動回路１２０や、各画像信号線１１１に所定の画像信号を供給する水平駆動回路１２１等からなる周辺駆動回路が、上記表示領域の端辺に沿うように配置される。
【０００６】
一方、対向基板１０２には、その内面側にはＩＴＯ（Indium Tin Oxide）等の対向電極１５０が全面に亘って形成され、基板隅部に形成されたコモン電極１６０ａ〜１６０ｃによりアクティブマトリクス基板１０１のコモン電極１４０ａ〜１４０ｃと電気的に接続されている。
【０００７】
ところで、近年、より高品質な表示を得るために多画素化や高速駆動が要求されるようになってきている。それに伴い、同時サンプリングする相展開数も増え、水平駆動回路に形成される多数の画像信号配線やこれらを含む周辺駆動回路と対向電極１５０との間に生じる寄生容量が無視できない程大きくなってきている。
【０００８】
例えば、水平駆動回路１２１に形成される複数の画像信号線１１１に画像信号が流れると上記寄生容量を介して対向電極１５０の基準電位Ｖcomが変動する。この変動が画素部形成領域に対向する対向電極１５０及びコモン電極１６０ｂ，１６０ｃ，１４０ｂ，１４０ｃを経由して画素部１１２の基準電位Ｖcomまで伝播される。これにより画素部１１２に信号電圧を書き込む際の基準電位Ｖcomが変動し、本来書き込まれるべき画像信号の電圧が変化してしまい画質不良となることが報告されている。
【０００９】
そこで、下記特許文献１，２には、水平駆動回路を含む周辺駆動回路と対向する領域の対向電極の一部又は全部を除去することによって、上述の寄生容量の発生を抑制し、画質不良の問題を改善する技術が開示されている。
【特許文献１】特開２００５−２２７５１３号公報
【特許文献２】特開２００５−８４６５０号公報
【発明の開示】
【発明が解決しようとする課題】
【００１０】
ところが、上記特許文献１，２のように、水平駆動回路を含む周辺駆動回路と対向する領域の一部又は全部に対向電極を形成しない領域（以下、「対向電極非形成領域」とする。）を設けると、次のような問題が生じる恐れがある。
【００１１】
すなわち、水平駆動回路を含む周辺駆動回路と対向する領域の一部又は全部に対向電極非形成領域を対向基板に設けると、対向電極を形成した領域（以下、「対向電極形成領域」とする。）との間で、段差が生じる。従って、この段差による塗装ムラが発生して表示不良となる恐れがある。また、対向電極非形成領域を設けた対向基板とアクティブマトリクス基板とを重ね合わせるときに対向電極形成領域部分と対向電極非形成領域部分とに応力が生じ、ギャップ異常又はギャップムラによる表示不良となる恐れがある。加えて、対向電極を加工する必要性があり、マスク又は工程増によるコストアップに繋がってしまうことになる。
【課題を解決するための手段】
【００１２】
そこで、かかる課題を解決すべく、請求項１に係る発明は、走査線と、画像信号線と、前記走査線及び前記画像信号線との交差部にそれぞれ設けられた複数の画素部と、各前記画素部をマトリクス駆動する周辺駆動回路とを同一面上に有するアクティブマトリクス基板と、前記複数の画素部と前記周辺駆動回路とに対向する対向電極を一方の面の略全面に設けた対向基板と、アクティブマトリクス基板と対向基板との間に挟持された液晶層とを備え、前記アクティブマトリクス基板において、前記周辺駆動回路のうち少なくとも前記画像信号線に画像信号を供給する水平駆動回路と前記対向基板との間に、所定電位に接続される導電体を介在させた液晶表示パネルとした。
【００１３】
また、請求項２に係る発明は、請求項１に記載の液晶表示パネルにおいて、前記アクティブマトリクス基板には、前記所定電位に接続される前記導電体を含む所定電位印加領域を含み、前記所定電位印加領域における前記導電体と当該導電体以外の領域とに接続され、前記所定電位を外部から印加するための共通の入力端子を設けることとした。
【００１４】
また、請求項３に係る発明は、請求項１に記載の液晶表示パネルにおいて、前記アクティブマトリクス基板には、前記所定電位に接続される前記導電体を含む所定電位印加領域を含み、前記所定電位印加領域のうち前記導電体に接続され、前記所定電位を外部から印加するための第１入力端子と、前記所定電位印加領域のうち前記導電体以外の領域に接続され、前記所定電位を外部から印加するための第２入力端子と、をそれぞれ電気的に独立して設けることとした。
【００１５】
また、請求項４に係る発明は、請求項１〜３のいずれか１項に記載の液晶表示パネルにおいて、前記対向電極に印加される電圧を前記所定電位とした。
【００１６】
また、請求項５に記載の発明は、請求項１〜４のいずれか１項に記載の液晶表示パネルにおいて、前記導電体を前記アクティブマトリクス基板上面に設けることとした。
【００１７】
また、請求項６に記載の発明は、液晶表示パネルと、この液晶表示パネルに映像を供給する映像信号供給回路とを備え、前記液晶表示パネルは、走査線と、画像信号線と、前記走査線及び前記画像信号線との交差部にそれぞれ設けられた複数の画素部と、各前記画素部をマトリクス駆動する周辺駆動回路とを同一面上に有するアクティブマトリクス基板と、前記複数の画素部と前記周辺駆動回路とに対向する対向電極を一方の面の略全面に設けた対向基板と、アクティブマトリクス基板と対向基板との間に挟持された液晶層とを備え、前記アクティブマトリクス基板において、前記周辺駆動回路のうち少なくとも前記画像信号線に画像信号を供給する水平駆動回路と前記対向基板との間に、所定電位に接続される導電体を介在させた電子機器とした。
【発明の効果】
【００１８】
本発明によれば、アクティブマトリクス基板において、周辺駆動回路のうち少なくとも多数の画像信号線が集中して形成される水平駆動回路と対向基板との間に、所定電位に接続される導電体を介在させることとしている。従って、水平駆動回路に対向する対向電極の生じる電位変動が画素部に対向する対向電極を経由して画素部へ影響することを抑制することができ、画質の劣化を防止できる。しかも、対向電極を対向基板の略全面に設けることで、上述した塗装ムラ、ギャップ異常或いはギャップムラが生じることを抑制して表示不良の発生を防止することができる。加えて、対向電極を加工する必要がなく、画素電極と同様の導電体を使用することができるため、工程数増などによるコスト上昇を抑えることができる。
【発明を実施するための最良の形態】
【００１９】
以下、発明を実施するための最良の形態（以下、「実施形態」とする）について説明する。なお、説明は以下の順序で行う。
１．第１実施形態の液晶表示パネル
２．第２実施形態の液晶表示パネル
３．電子機器への適用
【００２０】
［１．第１実施形態］
［１．１．液晶表示パネルの概要］
図１は、本発明の第１実施形態に係る液晶表示パネルの構成の概略を示す図である。本実施形態では、本発明をアクティブマトリクス型の液晶表示パネルに適用した場合を例に挙げて説明するものとする。
【００２１】
図１に示すように、第１実施形態に係る液晶表示パネルＰは、アクティブマトリクス基板１と対向基板２とがスペーサの混入されたシール材（図示せず）によって一定の間隔を保って貼り合わせられる。そして、この一対の基板とシール材とにより形成された空間に液晶（図示せず）が封入されて後述する液晶層３が一対の基板間に狭持されて形成される構造を有する。
【００２２】
アクティブマトリクス基板１には、複数の画素部が形成される画素部形成領域２３の他、これらの複数の画素部をマトリクス駆動する周辺駆動回路、外部回路との間で電圧や各種信号の入出力を行なうためのパッド部７０等に形成される。周辺駆動回路には、走査線１０に制御信号を供給する垂直駆動回路（走査線駆動回路）２０ａ，２０ｂ、画像信号線１１に画像信号を供給するする水平駆動回路（データ線駆動回路）２１、画像信号線１１をプリチャージするプリチャージ回路２２などが含まれる。
【００２３】
対向基板２には、アクティブマトリクス基板１と対向する面の略全面にＩＴＯ（Indium Tin Oxide）等で形成された対向電極５０が形成される。
【００２４】
本実施形態においては、アクティブマトリクス基板１において、図１に示すように、周辺駆動回路のうち少なくとも水平駆動回路２１と対向基板２との間に、所定電位に接続される導電体３０を介在させて、水平駆動回路２１を導電体３０で覆うように、対向基板２から水平駆動回路２１を遮蔽する。ここでは、「所定電位」は、反転駆動する画素電極の基準となる基準電位Ｖcomとするが、電源電位や接地電位など直流電位としてもよい。また、「導電体」はアクティブマトリクス基板１で配線やＩＴＯ電極に使用されている部材が用いられる。
【００２５】
本発明者は、かかる構成とすることで、水平駆動回路２１に対向する対向電極５０に生じる電位変動を大幅に低減することができ、画質の劣化を防止できるとの知見を得た。しかも、対向電極５０は対向基板２の略全面に設けているので、上述した段差やギャップが生じることを抑制して表示不良の発生を防止することができる。
【００２６】
また、アクティブマトリクス基板１には、基準電位Ｖcomに接続される導電体３０を含む基準電位印加領域を含み、この所定電位印加領域における導電体３０とこの導電体３０とに接続される共通入力端子７０ａ，７０ｂを設けている。この共通入力端子７０ａ，７０ｂは、基準電位Ｖcomを外部から供給するための入力端子であり、導電体３０とこの導電体３０以外の基準電位印加領域に基準電位Ｖcomを供給する。
【００２７】
このように、基準電位Ｖcomを外部から入力するための入力端子を導電体３０とこの導電体３０以外の基準電位印加領域とで共通にすることで、入力端子の数を低減することができ、アクティブマトリクス基板１の小型化を図ることができる。
【００２８】
なお、水平駆動回路２１を対向基板２の対向電極５０と対向しない位置に設けることも考えられるが、そのようにすると、アクティブマトリクス基板１の小型化、さらには液晶表示パネルＰの小型化を阻害することから、本実施形態では上述のように構成している。
【００２９】
［１．２．液晶表示パネルＰの構成］
ここで、さらに具体的に、本実施形態に係る液晶表示パネルＰの構成について図２及び図３を参照して説明する。図２（ａ）は第１実施形態に係る液晶表示パネルＰのアクティブマトリクス基板１のレイアウト図、図２（ｂ）は第１実施形態に係る液晶表示パネルＰの対向基板２のレイアウト図、図３（ａ）は従来の液晶表示パネルにおける対向電極の影響を説明するための図、図３（ｂ）は第１実施形態に係る液晶表示パネルＰにおける対向電極の影響を説明するための図である。
【００３０】
図２（ａ）に示すように、アクティブマトリクス基板１上には複数の走査線１０と複数の画像信号線１１とが互いに交差して形成され、その交差部にＴＦＴ、画素容量Ｃｓ、画素電極等からなる複数の画素部１２がマトリクス状に形成されて画素部形成領域２３が構成される。なお、画素電極とこれに対向して対向基板２に形成される対向電極５０との間に発生する液晶容量により液晶セルが形成されることになる。
【００３１】
また、このアクティブマトリクス基板１上には、垂直駆動回路２０ａ，２０ｂ、水平駆動回路２１、及び各画像信号線１１をプリチャージするプリチャージ回路２２等からなる周辺駆動回路が、上記画素部形成領域２３の外周部端辺に沿うように配置される。この周辺駆動回路へ供給される各信号や電圧は、例えば図示しない外部回路のドライバＩＣで生成されるものであり、入力端子であるパッド部７０を介して供給される。この外部回路のドライバＩＣは、例えば画像信号生成用の画像信号データ、基準電位Ｖcom発生用のＶＣＯＭデータ、或いは制御電位Ｖcont発生用のＣＯＮＴデータなどをアナログ信号やＤＣ電位に変換してパッド部７０を介して周辺駆動回路へ出力する。
【００３２】
垂直駆動回路２０ａ，２０ｂは、各走査線１０に対してパルス状の走査信号を順次供給する回路であり、所定の走査線１０を選択する垂直シフトレジスタや、走査線１０の電圧レベルを調整するレベルシフタ等から構成される。
【００３３】
一方、水平駆動回路２１は、各画像信号線１１に所定の画像信号を供給する回路であり、外部回路から入力端子であるパッド部７０を介して画像信号やセレクト信号を受け取り、画像信号をセレクト信号と対応する画素列の画像信号線１１に出力するマルチプレクサ等から構成される。
【００３４】
そして、垂直駆動回路２０ａ，２０ｂ及び水平駆動回路２１によりそれぞれ所定の走査線１０及び画像信号線１１が選択されると、選択された走査線１０と画像信号線１１との交差部に位置する画素部１２に画像信号が供給され、画素部１２が画像信号に応じた輝度で発光する。
【００３５】
ここで、液晶表示パネルＰにおいては、液晶に同極性の直流電圧が印加され続けることによる焼き付きを防止するために、反転駆動が行なわれる。この反転駆動の方式として、画素配列の行又は列毎に信号電圧の極性を入れ替えるライン反転方式、隣接する画素電極毎に信号電圧の極性を入れ替えるドット反転方式、さらには表示フレーム帰還毎に信号電圧を入れ替えるフレーム反転方式等がある。
【００３６】
そして、対向基板２の対向電極５０には一様に、反転駆動する画素電極の基準となる基準電位Ｖcomがアクティブマトリクス基板上のパッド部７０の共通入力端子７０ａ，７０ｂから基準電位線１３及びコモン電極４０ｂ，４０ｃ，６０ｂ，６０ｃを通じて供給されている。なお、図８に示す従来の液晶表示パネルでは、パッド部の近くにコモン電極１４０ａを設けるようにしているが、ここでは、導電体３０の電位変動が基準電位Ｖcomに影響を及ぼすことを可及的に抑制するためにパッド部から最も遠い部分にコモン電極４０ｂ，４０ｃを設けるようにしている。
【００３７】
また、アクティブマトリクス基板１上に形成された各画素部１２の画素容量Ｃｓにも、画素配列の各行ごとに行方向に延伸して形成される基準電位線１３が接続され、基準電位Ｖcomが供給される。さらに、基準電位線１３は、画素部形成領域２３の外周部にもパターン配線されることで、画素部１２及び周辺駆動回路（垂直駆動回路２０ａ，２０ｂ、水平駆動回路２１、プリチャージ回路２２など）を静電気から保護するガードリング（シールド）の作用をなす。
【００３８】
一方、対向基板２は、図２（ｂ）に示すように、アクティブマトリクス基板１に対向する面に対向電極５０が略全面に形成され液晶層３等を介して、画素部形成領域２３、垂直駆動回路２０ａ，２０ｂ、プリチャージ回路２２及び水平駆動回路２１に対向する。
【００３９】
この対向基板２とアクティブマトリクス基板１の水平駆動回路２１との間には、図２（ａ）に示すように、基準電位Ｖcomに接続される導電体３０を介在させて、水平駆動回路２１を導電体３０で覆うように、対向基板２から水平駆動回路２１を遮蔽する。これにより、水平駆動回路２１の動作が対向電極５０へ影響することを抑制することができ、画質の劣化を防止できる。
【００４０】
すなわち、従来の液晶表示パネルでは、図３（ａ）に示すように、アクティブマトリクス基板１０１に形成された水平駆動回路１２１の上方には、対向電極１５０が対向配置されており、水平駆動回路１２１と対向電極１５０との間で寄生容量Ｃａが形成される。そのため、例えば、水平駆動回路１２１の多数の画像信号線１１１に流れる画像信号が対向電極１５０に影響を及ぼし、対向電極１５０の基準電位Ｖcomが変動する。この変動が、図３（ａ）に示す点線の経路で、画素部１１２の基準電位Ｖcomへ影響を及ぼし、画素部１１２の画素容量Ｃｓに画像信号を書き込む際に正常な電圧を書き込むことができずに、画質不良となる。特に、水平駆動回路１２１では画素配列の列数に応じた数の画像信号線１１１が必要であり、図３（ａ）に示すように、これらが束となって密集し、異なる層を介して交差して水平駆動回路１２１の領域に形成され、さらに、対向電極１５０と距離が近くなっている。しかも、画像信号線１１１は高速駆動される。従って、対向電極１５０のうち水平駆動回路１２１に対向する領域に対してアクティブマトリクス基板１からの影響が大きなって画質不良の要因となる。なお、図３（ａ）中の「ＨＳＷ」は、各画像信号線１１１に配置され、各画素部１１２に画像信号を出力するためのスイッチである。
【００４１】
一方、本実施形態の液晶表示パネルＰにおいては、図３（ｂ）に示すように、基準電位Ｖcomに接続される導電体３０を水平駆動回路２１と対向電極５０との間に介在させているため、寄生容量は導電体３０との間に形成されることになる。すなわち、水平駆動回路２１と導電体３０との間に寄生容量Ｃａ１が形成され、導電体３０と対向電極５０との間に寄生容量Ｃａ２が形成されることになる。この導電体３０はアクティブマトリクス基板１の上面にＩＴＯ等の対向電極として形成される。
【００４２】
従って、水平駆動回路２１に形成される多数の画像信号線１１に流れる画像信号がこの導電体３０に影響を及ぼすものの、対向電極５０への影響は大幅に低減される。これは、導電体３０が共通入力端子７０ａ，７０ｂの近くに存在し、導電体３０と共通入力端子７０ａ，７０ｂとの配線インピーダンス等が小さいために、導電体３０への影響する水平駆動回路２１の信号成分が図３（ｂ）に示す点線の経路で共通入力端子７０ａ，７０ｂに流れ、水平駆動回路２１による影響が導電体３０に分散されるからである。
【００４３】
このように、共通入力端子７０ａ，７０ｂを含むパッド部７０を水平駆動回路２１に近い領域に配置し、水平駆動回路２１と対向電極５０との間に介在させる導電体３０を共通入力端子７０ａ，７０ｂに近づけることで、従来の液晶表示パネルに比べて、対向電極５０への影響を大幅に低減することができる。その結果、本実施形態に係る液晶表示パネルＰでは上述した従来の液晶表示パネルに比べて、水平駆動回路２１による画素部１２への影響を大幅に削減することができる。
【００４４】
さらに、共通入力端子７０ａ，７０ｂから導電体３０への配線と他の領域（基準電位線１３や対向電極５０）への配線とは互いにパッド部７０の入力端子以外の箇所で交わることがないようにし、導電体３０の電気変位が他の領域を介してパッド部７０へ流れることがないようにすることが望ましい。このようにすることで、対向電極５０への影響をより低減することができる。
【００４５】
また、導電体３０はアクティブマトリクス基板１の上面にＩＴＯ等の対向電極として形成していることから、画素電極ＩＴＯ等を形成するときに同時に形成することができることから、工程数を増やすことなく導電体３０を設けることが可能となる。なお、導電体３０は、水平駆動回路２１や画像信号線１１を形成するレイヤより上層に位置するメタル層であればよく、その材質・レイヤ位置（厚さ方向の位置）は適宜選択可能であり、工程数を増やすことなく導電体３０を設けることが可能となる。
【００４６】
このように第１実施形態の液晶表示パネルでは、基準電位Ｖcomに接続される導電体３０を水平駆動回路２１と対向電極５０との間に介在させるようにしているため、水平駆動回路２１から対向電極５０への影響を大幅に低減することができる。
【００４７】
また、導電体３０を水平駆動回路２１と対向電極５０との間のみならず、図４に示すように、パッド部７０から水平駆動回路２１までの画像信号配線４１上と対向電極５０との間にも導電体３０を介在させるようにしてもよい。
【００４８】
このようにすることで、パッド部７０から水平駆動回路２１までの画像信号配線４１が対向電極５０と近くなるような配置にした場合であっても、画像信号配線４１に供給される画像信号による対向電極５０への影響を抑制することが可能となる。
【００４９】
また、パッド部７０において共通入力端子７０ａ，７０ｂで基準電位Ｖcomと接続するようにしたが、アクティブマトリクス基板１には、基準電位Ｖcomを外部から印加するための入力端子を、導電体３０に接続する入力端子（第１の入力端子の一例）とそれ以外の入力端子（第２の入力端子の一例）とでそれぞれ電気的に独立して設けるようにしてもよい。例えば、図５に示すように、別の入力端子７１ａ，７１ｂを用いて外部装置と接続するようにして外部装置から制御電位Ｖcontや固定電位を供給するようにしてもよい。
【００５０】
このようにすることで、導電体３０には外部装置から基準電位Ｖcomに代えて、電源電位や接地電位を印加することができ、水平駆動回路２１による導電体３０への影響が対向電極５０へ伝わることをより抑制することができる。なお、基準電位Ｖcomと制御電位Ｖcontとを同じ電圧としても、画素部１２へ影響することを抑制することができる。
【００５１】
［２．第２実施形態］
次に、本発明の第２実施形態について説明する。図６は第２実施形態に係る液晶表示パネルＰ’の対向基板２’のレイアウト図である。なお、第２実施形態に係る液晶表示パネルＰ’のアクティブマトリクス基板は、第１実施形態に係るアクティブマトリクス基板１と同様の構成であるため、ここでは対向基板２’についてのみ説明する。
【００５２】
第２実施形態における対向基板２’は、図６に示すように、アクティブマトリクス基板１に対向する面に、第１対向電極５１と第２対向電極５２とからなる対向電極５０’が略全面に形成される。
【００５３】
第１対向電極５１は、画素部形成領域２３、垂直駆動回路２０ａ，２０ｂ及びプリチャージ回路２２に対向する位置に形成される対向電極である。また、第２対向電極５２は多数の画像信号線１１が形成される水平駆動回路２１に対向する位置に形成される対向電極である。
【００５４】
そして、第１対向電極５１と第２対向電極５２とは、スリット状の間隙５３を介して電気的に分離された構造をとる。これにより、導電体３０に加えて、水平駆動回路２１に対向する第２対向電極５２の生じる電位変動が画素部形成領域２３に対向する第１対向電極５１を経由して画素部形成領域２３の画素部１２へ伝播することを抑制することができ、画質の劣化を防止できる。  
【００５５】
第２対向電極５２は、図６に示すように、基準電位Ｖcomに接続するようにしてもよく、電源電位や接地電位に接続するようにしてもよい。また、この第２対向電極５２をアクティブマトリクス基板１から電気的に切り離すようにしてもよい。すなわち、第２対向電極５２を電気的にオープンにするのである。これにより、第２対向電極５２の電気変動をアクティブマトリクス基板１上の画素部１２へ伝播することを抑えることができる。なお、第２対向電極５２に基準電位Ｖcomや接地電位などの固定電位を接続することにより、水平駆動回路２１を静電気から保護するガードリング（シールド）の効果を得ることができるので、第２対向電極５２に基準電位Ｖcomや接地電位などの固定電位を接続することが望ましい。
【００５６】
さらには、第１対向電極５１と第２対向電極５２とを切り離すスリット状の間隙５３を有効画素外へ位置させることにより、スリット状の間隙５３により液晶の配向乱れが生じても表示画素へ影響を与えることを抑制できる。なお、第２対向電極５２に基準電位Ｖcomとは異なる電源電位や接地電位などの固定電位を接続すると、基準電位Ｖcomとの電位差により横電界がかかることから、液晶の配向乱れが生じても表示画素への影響を抑制することができる。
【００５７】
［３．電子機器への適用］
上述した液晶表示パネルＰ，Ｐ’は、液晶プロジェクタのほか、パーソナルコンピュータ、ワードプロセッサ或いは携帯電話機などの電子機器に適用することができる。図７は、本実施形態に係る電子機器、例えば携帯電話機の構成の概略を示す外観図である。
【００５８】
図７に示すように、本例に係る携帯電話機は、装置筐体８１の前面側に、スピーカ部８２、出力表示部８３、操作部８４及びマイク部８５を上部側から順に配置された構成となっている。かかる構成の携帯電話機において、出力表示部８３には液晶表示パネルが用いられ、この液晶表示パネルとして先述した実施形態に係る液晶表示パネルＰ，Ｐ’が用いられる。また、出力表示部８３に映像を供給する映像信号供給回路（図示せず）が装置筐体８１内に収納されている。
【００５９】
以上、本発明の好ましい実施形態について説明したが、本発明は係る特定の実施形態に限定されるものではなく、特許請求の範囲に記載された本発明の要旨の範囲内において、種々の変形・変更が可能である。
【図面の簡単な説明】
【００６０】
【図１】第１実施形態に係る液晶表示パネルの構成の概略を示す図である。
【図２】第１実施形態に係る液晶表示パネルのアクティブマトリクス基板及び対向基板のレイアウト図である。
【図３】液晶表示パネルにおける対向電極の影響を説明するための図である。
【図４】第１実施形態に係る液晶表示パネルの他のアクティブマトリクス基板のレイアウト図である。
【図５】第１実施形態に係る液晶表示パネルの他のアクティブマトリクス基板のレイアウト図である。
【図６】第２実施形態に係る液晶表示パネルの対向基板のレイアウト図である。
【図７】本実施形態に係る電子機器である携帯電話機の構成の概略を示す外観図である。
【図８】従来のアクティブマトリクス型の液晶表示パネルの構成を示す図である。
【符号の説明】
【００６１】
Ｐ  液晶表示パネル
１  アクティブマトリクス基板
２,２’  対向基板
３  液晶層
１０  走査線
１１  画像信号線
１２  画素部
１３  基準電位線
２０ａ，２０ｂ  垂直駆動回路
２１  水平駆動回路
２２  プリチャージ回路
２３  画素部形成領域
３０  導電体
４０ａ〜４０ｃ，６０ａ〜６０ｃ  コモン電極
５０,５０’  対向電極
５１  第１対向電極
５２  第２対向電極
７０  パッド部
【図１】
2010152016.tif 000003
【図２】
2010152016.tif 000004
【図３】
2010152016.tif 000005
【図４】
2010152016.tif 000006
【図５】
2010152016.tif 000007
【図６】
2010152016.tif 000008
【図７】
2010152016.tif 000009
【図８】
2010152016.tif 000010